【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
インバータのパルス幅変調制御を行う制御装置であって、
キャリア周期ごとに出力すべき指令信号のパルス幅を示すパルス幅演算値を算出するパルス幅演算部と、
前記キャリア周期ごとに、当該キャリア周期における開始側オフ期間と終了側オフ期間とが一致するように、前記パルス幅演算値に示されるパルス幅の前記指令信号を出力する信号出力部と、
を備え、
前記信号出力部は、
オフ期間リミット値を、前記指令信号がオフした時点から、当該指令信号に基づいて動作するスイッチング素子のオフ動作に伴って発生する負電圧サージが回復するまでの期間とし、パルス幅上限値を前記キャリア周期から前記オフ期間リミット値に基づく値を差し引いた値として、
前記パルス幅演算値が前記パルス幅上限値よりも大きい場合には、前記パルス幅演算値に代えて、前記パルス幅上限値に示されるパルス幅の前記指令信号を出力する
制御装置。
【請求項２】
前記パルス幅上限値を、
前記キャリア周期から前記オフ期間リミット値の二倍を差し引いてなる値とする、
請求項１に記載の制御装置。
【請求項３】
前記信号出力部は、更に、
前記パルス幅演算値が前記キャリア周期に一致する場合には、
前記パルス幅上限値に代えて、前記キャリア周期に一致する前記パルス幅演算値に示されるパルス幅の前記指令信号を出力する
請求項１又は請求項２に記載の制御装置。
【請求項４】
前記信号出力部は、更に、
前記パルス幅演算値が所定のパルス幅下限値よりも小さい場合には、当該パルス幅演算値に代えて、前記パルス幅下限値に示されるパルス幅の前記指令信号を出力する
請求項１から請求項３の何れか一項に記載の制御装置。
【請求項５】
前記指令信号のパルス幅に基づいて、前記インバータに流れるインバータ電流の計測値が正常か否かを判定するとともに、前記インバータ電流の計測値が異常であると判定した場合には、前記パルス幅上限値を下げるリミット値学習部を更に備える
請求項１から請求項４の何れか一項に記載の制御装置。
【請求項６】
前記リミット値学習部は、
前記インバータ電流の計測値が正常であると判定した場合には、前記パルス幅上限値を上げる
請求項５に記載の制御装置。
【請求項７】
前記パルス幅上限値を、前記インバータに流れるインバータ電流の計測値に応じた値に設定するリミット値設定部を更に備える
請求項１から請求項４の何れか一項に記載の制御装置。
【請求項８】
請求項１から請求項７のいずれか一項に記載の制御装置と、
前記制御装置からの前記指令信号に基づいてスイッチング素子を駆動するスイッチング素子駆動回路と、
前記スイッチング素子と、
を備えるインバータ。
【請求項９】
前記制御装置、前記スイッチング素子駆動回路、及び、前記スイッチング素子は、
それぞれ別のＩＣパッケージで実装されている
請求項８に記載のインバータ。
【請求項１０】
インバータのパルス幅変調制御を行うための制御方法であって、
キャリア周期ごとに出力すべき指令信号のパルス幅を示すパルス幅演算値を算出するパルス幅演算ステップと、
前記キャリア周期ごとに、当該キャリア周期における開始側オフ期間と終了側オフ期間とが一致するように、前記パルス幅演算値に示されるパルス幅の前記指令信号を出力する信号出力ステップと、
を有し、
前記信号出力ステップにおいて、
オフ期間リミット値を、前記指令信号がオフした時点から、当該指令信号に基づいて動作するスイッチング素子のオフ動作に伴って発生する負電圧サージが回復するまでの期間とし、パルス幅上限値を前記キャリア周期から前記オフ期間リミット値に基づく値を差し引いた値として、
前記パルス幅演算値が前記パルス幅上限値よりも大きい場合には、前記パルス幅演算値に代えて、前記パルス幅上限値に示されるパルス幅の前記指令信号を出力する
制御方法。
【請求項１１】
インバータのパルス幅変調制御を行う制御装置を、
キャリア周期ごとに出力すべき指令信号のパルス幅を示すパルス幅演算値を算出するパルス幅演算部、
前記キャリア周期ごとに、当該キャリア周期における開始側オフ期間と終了側オフ期間とが一致するように、前記パルス幅演算値に示されるパルス幅の前記指令信号を出力する信号出力部、
して機能させ、
前記信号出力部は、
オフ期間リミット値を、前記指令信号がオフした時点から、当該指令信号に基づいて動作するスイッチング素子のオフ動作に伴って発生する負電圧サージが回復するまでの期間とし、パルス幅上限値を前記キャリア周期から前記オフ期間リミット値に基づく値を差し引いた値として、
前記パルス幅演算値が前記パルス幅上限値よりも大きい場合には、前記パルス幅演算値に代えて、前記パルス幅上限値に示されるパルス幅の前記指令信号を出力する
プログラム。
【手続補正２】
【補正対象書類名】明細書
【補正対象項目名】０００８
【補正方法】変更
【補正の内容】
【０００８】
本発明の一態様は、インバータのパルス幅変調制御を行う制御装置であって、キャリア周期ごとに出力すべき指令信号のパルス幅を示すパルス幅演算値を算出するパルス幅演算部と、前記キャリア周期ごとに、当該キャリア周期における開始側オフ期間と終了側オフ期間とが一致するように、前記パルス幅演算値に示されるパルス幅の前記指令信号を出力する信号出力部と、を備え、前記信号出力部は、オフ期間リミット値を、前記指令信号がオフした時点から、当該指令信号に基づいて動作するスイッチング素子のオフ動作に伴って発生する負電圧サージが回復するまでの期間とし、パルス幅上限値を前記キャリア周期から前記オフ期間リミット値に基づく値を差し引いた値として、前記パルス幅演算値が前記パルス幅上限値よりも大きい場合には、前記パルス幅演算値に代えて、前記パルス幅上限値に示されるパルス幅の前記指令信号を出力する制御装置である。
【手続補正３】
【補正対象書類名】明細書
【補正対象項目名】０００９
【補正方法】変更
【補正の内容】
【０００９】
また、本発明の一態様によれば、前記パルス幅上限値を、前記キャリア周期から前記オフ期間リミット値の二倍を差し引いてなる値とする。
【手続補正４】
【補正対象書類名】明細書
【補正対象項目名】００１７
【補正方法】変更
【補正の内容】
【００１７】
また、本発明の一態様は、インバータのパルス幅変調制御を行うための制御方法であって、キャリア周期ごとに出力すべき指令信号のパルス幅を示すパルス幅演算値を算出するパルス幅演算ステップと、前記キャリア周期ごとに、当該キャリア周期における開始側オフ期間と終了側オフ期間とが一致するように、前記パルス幅演算値に示されるパルス幅の前記指令信号を出力する信号出力ステップと、を有し、前記信号出力ステップにおいて、オフ期間リミット値を、前記指令信号がオフした時点から、当該指令信号に基づいて動作するスイッチング素子のオフ動作に伴って発生する負電圧サージが回復するまでの期間とし、パルス幅上限値を前記キャリア周期から前記オフ期間リミット値に基づく値を差し引いた値として、前記パルス幅演算値が前記パルス幅上限値よりも大きい場合には、前記パルス幅演算値に代えて、前記パルス幅上限値に示されるパルス幅の前記指令信号を出力する制御方法である。
【手続補正５】
【補正対象書類名】明細書
【補正対象項目名】００１８
【補正方法】変更
【補正の内容】
【００１８】
また、本発明の一態様は、インバータのパルス幅変調制御を行う制御装置を、キャリア周期ごとに出力すべき指令信号のパルス幅を示すパルス幅演算値を算出するパルス幅演算部、前記キャリア周期ごとに、当該キャリア周期における開始側オフ期間と終了側オフ期間とが一致するように、前記パルス幅演算値に示されるパルス幅の前記指令信号を出力する信号出力部、して機能させ、前記信号出力部は、オフ期間リミット値を、前記指令信号がオフした時点から、当該指令信号に基づいて動作するスイッチング素子のオフ動作に伴って発生する負電圧サージが回復するまでの期間とし、パルス幅上限値を前記キャリア周期から前記オフ期間リミット値に基づく値を差し引いた値として、前記パルス幅演算値が前記パルス幅上限値よりも大きい場合には、前記パルス幅演算値に代えて、前記パルス幅上限値に示されるパルス幅の前記指令信号を出力するプログラムである。